(57)【要約】【課題】  多数組の配線を多数の配線用コンセントによって相互に接続する場合において容易に接続作業を行うことができる配線接続装置を得る。【解決手段】  複数のプラグ３を第一種ホルダー１に装着し、プラグ３のそれぞれに対応したプラグ受け８を第二種ホルダー６に装着する。そして、第一種ホルダー１及び第二種ホルダー６にそれぞれホルダー名称２，７を表示し、またプラグ３及びプラグ受け８にそれぞれコネクタ名称４，９を表示する。  これによって、配線作業時に対になる第一種ホルダー１及び第二種ホルダー６を配置しプラグ３、プラグ受け８を順番に接続する。したがってプラグ３等を探す手間を省き、接続先を容易に判別できて配線作業能率を向上する。【選択図】        図１
2005108488.tif 000002
【特許請求の範囲】
【請求項１】
板状体からなりホルダー名称表示部が設けられた第一種ホルダーと、それぞれ電線が接続されて上記第一種ホルダーに装着された複数のプラグと、上記第一種ホルダーに設けられて上記プラグのそれぞれに対応して配置されたコネクタ名称表示部と、板状体からなりホルダー名称表示部が設けられた第二種ホルダーと、上記プラグのそれぞれに対応し設けられてそれぞれ電線が接続されて上記第二種ホルダーに装着され、かつ上記プラグのそれぞれの配置位置に対応した位置に配置された複数のプラグ受けと、上記第二種ホルダーに設けられて上記プラグ受けのそれぞれに対応して配置されたコネクタ名称表示部とを備えた配線接続装置。
【請求項２】
第一種ホルダー及び第二種ホルダーを配線作業順序に従って順次連結した連結紐を備えたことを特徴とする請求項１記載の配線接続装置。
【請求項３】
配線基盤のコネクタとこのコネクタから離れて配置された第一種ホルダー及び第二種ホルダーのいずれかとを連結する連結条体を備えたこと特徴とする請求項１及び請求項２のいずれか一つに記載の配線接続装置。
【発明の詳細な説明】
【技術分野】
【０００１】
この発明は、エレベーターの制御盤等における電気機器の配線を相互に接続する配線接続装置に関する。
【背景技術】
【０００２】
従来の配線接続装置においては、複数本からなる一組の配線が配線用コンセントを介して相互に接続される。そして、エレベーターの制御盤等において多数組の配線が配置されて多数の配線用コンセントによって相互に接続するように構成されている。（例えば、特許文献１参照）。
【０００３】
【特許文献１】特開２００２−４２６２２号公報（第２頁、図１）
【発明の開示】
【発明が解決しようとする課題】
【０００４】
従来の配線接続装置では、複数種のコネクタを用いて電気機器の配線が行われる。そして、制御盤等の内部では多くのコネクタが配置されるので、接続を行う際に接続先を見つけるのに一つずつコネクタを確認することになり煩雑であって長時間の作業を要するという問題点があった。また、コネクタは一か所にまとまって配置されるとは限らないため配線作業の初心者が配線する場合は、接続先の見当がつけにくく一層煩雑であって長時間の作業を要することになる。
【０００５】
この発明は、かかる問題点を解消するためになされたものであり、多数組の配線を多数の配線用コンセントによって相互に接続する場合であっても、容易に接続作業を行うことができる配線接続装置を得ることを目的とする。
【課題を解決するための手段】
【０００６】
この発明に係る配線接続装置においては、板状体からなりホルダー名称表示部が設けられた第一種ホルダーと、それぞれ電線が接続されて第一種ホルダーに装着された複数のプラグと、第一種ホルダーに設けられてプラグのそれぞれに対応して配置されたコネクタ名称表示部と、板状体からなりホルダー名称表示部が設けられた第二種ホルダーと、プラグのそれぞれに対応して設けられてそれぞれ電線が接続されて第二種ホルダーに装着され、かつプラグのそれぞれの配置位置に対応した位置に配置された複数のプラグ受けと、第二種ホルダーに設けられてプラグ受けのそれぞれに対応して配置されたコネクタ名称表示部とをが設けられる。
【発明の効果】
【０００７】
この発明による配線接続装置は、複数のプラグが第一種ホルダーに装着され、プラグのそれぞれに対応したプラグ受けが第二種ホルダーに装着される。そして、第一種ホルダー及び第二種ホルダーにそれぞれホルダー名称が表示されると共に、プラグ及びプラグ受けにそれぞれコネクタ名称が表示される。これによって、配線作業時に対になる第一種ホルダー及び第二種ホルダーにおけるプラグ、プラグ受けを順番に接続することによってプラグ等を探す手間を省くことができる。これにより、多数組の配線を多数の配線用コンセントによって相互に接続する場合であってもホルダー名称、コネクタ名称の表示に従って接続先を容易に見つけることができる。したがって、容易かつ迅速正確に配線う行うことができ短い作業時間で正常に配線できて作業能率が向上し配線接続費用を低減する効果がある。
【発明を実施するための最良の形態】
【０００８】
実施の形態１．
図１〜図３は、この発明の実施の形態を示す図で、図１は平面図、図２は図１のホルダーの管理状態を説明する図、図３は図１のホルダーを配線機器に配置した状況を示す図である。図において、丈夫な紙等の可撓材料製であって薄い板状体からなる第一種ホルダー１にホルダー名称表示部２が設けられる。そして、それぞれ１本〜数本の電線が接続されてコネクタの一側を形成する複数のプラグ３が第一種ホルダー１に装着され、これら複数のプラグ３のそれぞれに対応して配置されたコネクタ名称表示部４が第一種ホルダー１に設けられる。
【０００９】
また、第一種ホルダー１に粘着シート部５が設けられて、粘着シート部５によって第一種ホルダー１が配線の対象となるエレベーターの制御盤等のケース（図示しない）内に接着される。また、丈夫な紙等の可撓材料製であって薄い板状体からなる第二種ホルダー６にホルダー名称表示部７が設けられる。
【００１０】
そして、それぞれ１本〜数本の電線が接続されて複数のプラグ３のそれぞれに対応しコネクタの他側を形成するプラグ受け８が、第二種ホルダー６に装着されて対応したプラグ３に対向した位置に配置される。また、これら複数のプラグ受け８のそれぞれに対応したコネクタ名称表示部９が第二種ホルダー６に装着され、プラグ受け８に対向した位置に配置される。
【００１１】
また、第二種ホルダー６に粘着シート部５が設けられて、粘着シート部５によって第二種ホルダー６が配線の対象となるエレベーターの制御盤等のケース（図示しない）内に接着される。また、第一種ホルダー１及び第二種ホルダー６の管理ケース１０が設けられて、管理ケース１０に複数の収納ポケット１１が設けられる。
【００１２】
上記のように構成された配線接続装置において、プラグ３が第一種ホルダー１に装着され、プラグ受け８が第二種ホルダー６に装着される。そして、第一種ホルダー１及び第二種ホルダー６にそれぞれホルダー名称が表示されると共に、プラグ３及びプラグ受け８にそれぞれコネクタ名称が表示される。このような構成によって、配線作業時に対になる第一種ホルダー１及び第二種ホルダー６を近くに配置しておきプラグ３、プラグ受け８を順番に接続することによってプラグ３等を探す手間を省くことができる。
【００１３】
このため、多数組の配線を多数の配線用コンセントによって相互に接続する場合であってもホルダー名称、コネクタ名称の表示に従って接続先を容易に見つけることができる。したがって、容易かつ迅速正確に配線う行うことができ短い作業時間で正常に配線でき作業能率が向上し配線接続費用を低減することができる。なお、ホルダー名称、コネクタ名称の表示を色分けして区別することによって、配線の接続先を一層容易に判別することができ配線作業能率を向上することができる。
【００１４】
また、例えば制御装置のケース内のコネクタはまとめてホルダーに取付けることができるが、そこに接続される相手のコネクタは機器毎に単独となっていてまとめることができない場合もある。このときには、例えばプラグ３をプラグ名称順（例えばアルファベット順等）に第一種ホルダー１にまとめておき、それを参照してプラグ受け８に接続を行うようにすることによって配線作業能率を向上することができる。
【００１５】
さらに、配線済みの第一種ホルダー１及び第二種ホルダー６を分離して集め、これらを管理ケース１０に複数の収納ポケット１１に整理して収納することによって配線作業の進捗、接続忘れの管理に利用することができる。また、第一種ホルダー１及び第二種ホルダー６が丈夫な紙等の可撓材料製であるので、これらを図３に示すように丸めて配線機器内に入れることができる。このため、図示が省略してあるが配線対象機器の形態及びその機器の配線作業の制約条件等に対応して、第一種ホルダー１等を容易に配備することができるので配線作業能率を向上することができる。
【００１６】
実施の形態２．
図４及び図５は、この発明の他の実施の形態を示す図で、図４は前述の図１相当図、図５は図４のホルダーを配線機器に配置した状況を示す図である。図において、前述の図１〜図３と同符号は相当部分を示し、第一種ホルダー１及び第二種ホルダー６のそれぞれの端部に連結紐１２を結ぶ切り込み孔１３が設けられ、また第一種ホルダー１等の相互が切り込み孔１３を介して連結紐１２によって連結されて制御装置等のケース１４内に配置される。
【００１７】
上記のように構成された配線接続装置においても、プラグ３が第一種ホルダー１に装着され、プラグ受け８が第二種ホルダー６に装着される。そして、第一種ホルダー１及び第二種ホルダー６にそれぞれホルダー名称が表示されると共に、プラグ３及びプラグ受け８にそれぞれコネクタ名称が表示される。したがって、詳細な説明を省略するが図４及び図５の実施の形態においても図１〜図３の実施の形態と同様な作用が得られる。
【００１８】
また、図４及び図５の実施の形態において第一種ホルダー１及び第二種ホルダー６のプラグ３及びプラグ受け８の接続手順が決めて、図５に示すように第一種ホルダー１等を配線作業順序に従って順次連結紐１２によって連結しておく。そして、第一種ホルダー１等において順番に辿ってプラグ３及びプラグ受け８を接続するようにすることにより、作業順序をわかり易くすることができ配線作業能率を向上することができる。
【００１９】
実施の形態３．
図６も、この発明の他の実施の形態を示す図で、配線基盤に対するホルダーの配置状況を示す図である。図において、前述の図１〜図３と同符号は相当部分を示し、配線基盤１５のコネクタ１６と第一種ホルダー１等が糸等の連結条体１７によって連結される。
上記のように構成された配線接続装置においても、プラグ３が第一種ホルダー１に装着され、プラグ受け８が第二種ホルダー６に装着される。
【００２０】
そして、第一種ホルダー１及び第二種ホルダー６にそれぞれホルダー名称が表示されると共に、プラグ３及びプラグ受け８にそれぞれコネクタ名称が表示される。したがって、詳細な説明を省略するが図４及び図５の実施の形態においても図１〜図３の実施の形態と同様な作用が得られる。
【００２１】
また、図６の実施の形態において配線基盤１５のコネクタ１６等の一部のコネクタが他のコネクタから離れた位置に配置される場合がある。このときには、図６に示すようにコネクタ１６と第一種ホルダー１等との間を連結条体１７によって連結しておく。そして、ホルダーから連結条体１７を辿ることによって接続先のコネクタ１６を容易に見つけることができる。これによって、離れた位置にあるコネクタ１６もホルダーを起点にしてコネクタ１６の位置をつきとめることができて配線作業能率を向上することができる。
【図面の簡単な説明】
【００２２】
【図１】この発明の実施の形態１を示す平面図。
【図２】図１のホルダーの管理状態を説明する図。
【図３】図１のホルダーを配線機器に配置した状況を示す図。
【図４】この発明の実施の形態２を示す図で、前述の図１相当図。
【図５】図４のホルダーを配線機器に配置した状況を示す図。
【図６】この発明の実施の形態３を示す図で、配線基盤に対するホルダーの配置状況を示す図。
【符号の説明】
【００２３】
１  第一種ホルダー、２  ホルダー名称表示部、３  プラグ、４  コネクタ名称表示部、６  第二種ホルダー、７  ホルダー名称表示部、８  プラグ受け、９  コネクタ名称表示部、１２  連結紐、１５  配線基盤、１６  コネクタ、１７  連結条体。
【図１】
2005108488.tif 000003
【図２】
2005108488.tif 000004
【図３】
2005108488.tif 000005
【図４】
2005108488.tif 000006
【図５】
2005108488.tif 000007
【図６】
2005108488.tif 000008